(57)【特許請求の範囲】
【請求項１】
多数の筒状且つ格子状対向電極の略中央部に各々ニードル電極を配設したものにおいて、前記ニードル電極は、先端を尖端部とした一対の電極板と、この電極板間に介在して重合固定する支持板とからなり、前記支持板は、その先端に前記尖端部よりも突設する突出部を設けると共に、該突出部の先端をアール部としたことを特徴とする空気清浄機用放電電極。
【請求項２】
前記突出部の先端は、前記格子状対向電極の端縁よりも内側に位置する長さとしたことを特徴とする請求項１に記載の空気清浄機用放電電極。
【発明の詳細な説明】
【０００１】
【発明の属する技術分野】
本発明は、オフィスやレストラン等で発生する煙草の煙や異臭を除去する空気清浄機用放電電極に関する。
【０００２】
【従来の技術】
オフィスやレストラン等で発生する煙草の煙や焼肉の臭いを除去する空気清浄機として、対向する電極間に高電圧を印加して放電させ、この放電により空気中に含有した不純物を集塵するものは、登録実用新案第３０３３８５９号公報に開示されている。
【０００３】
この先行技術では単位面積当りの放電数が多く浄化効率が優れている特徴がある。
【０００４】
ところで、電極は、放電を確実に行うために先端を鋭利な形状としており、広範囲から空気を通し能率を上げるように同一形状のものを規則正しくかなり多くの数を配置している。
【０００５】
また、それぞれの電極は長期間の使用に伴ない、或は、特に油脂分の多い煙が発生する環境では汚れが早くなり本来の機能を発揮しなくなることから、定期的に点検してそれぞれの電極の汚れを取り除いたり、汚れの激しいものは取り換えるメンテナンスを行っている。
【０００６】
【発明が解決しようとする課題】
ところが、前述の様に電極の先端が鋭利な形状になっていることから点検時に誤って作業者の指が触れた場合には怪我をする危険があった。
【０００７】
特に、電極の鋭利な部分は全ての電極に形成されているため、点検時でなくとも組立時においても誤って手が触れる危険があると共に、作業台や器物の上に置いた場合には台上面や器物の表面に傷をつけることがあった。
【０００８】
本発明は電極部の保守・点検時に誤って手指が電極に触れるのを防止し、未然に怪我をすることがないようにしたものである。
【０００９】
【課題を解決するための手段】
本発明は、多数の筒状且つ格子状対向電極の略中央部に各々ニードル電極を配設したものにおいて、前記ニードル電極は、先端を尖端部とした一対の電極板と、この電極板間に介在して重合固定する支持板とからなり、前記支持板は、その先端に前記尖端部よりも突設する突出部を設けると共に、該突出部の先端をアール部としたものである。
【００１０】
また、前記突出部の先端は、前記格子状対向電極の端縁よりも内側に位置する長さとしたものである。
【００１１】
【発明の実施の形態】
本発明の実施例を図面に基づいて説明する。図１は本発明のニードル電極部の一部を示す側面図、図２は同じくニードル電極部を実装した空気清浄機の側面断面図、図３は同じく要部拡大図、図４は同じく要部分解斜視図である。
【００１２】
本発明の実施例を先ず図２に基づき説明すると、（１）は例えば家屋の天井（２）に装着した空気清浄機で、やや偏平で直方体状の外装ケース（３）の底面略中央部に吸気孔（４）を開口し、かつこの吸気孔には、板金にメッシュ状のカバー（５）を着脱自在に装着していると共に、左右両側面の底面寄りに吹出口（６）、（６）を開口し、これら吹出口の吹出し面にはグリル用の金網（７）、（７）を装着し、この金網の内側に活性炭素繊維等から成る脱臭フィルター（８）、（８）を装着している。
【００１３】
又、上記外装ケース（３）内中央部の上記吸気孔（４）の上部には、電気集塵方式の集塵ユニット（９）を内蔵し、この集塵ユニットと外装ケース（３）間に、上記吸気孔（４）と吹出口（６）、（６）とを連通する通気路（１０）を区画形成し、かつこの通路内の上記集塵ユニット（９）の両側にクロスフロー型のブロアファン（１１）、（１１）を装着し、このブロアファンの運転により、室内空気を上記吸気孔（４）より集塵ユニット（９）内に吸引して通過した後、通気路（１０）を経て吹出口（６）、（６）より脱臭フィルター（８）、（８）を介して室内に循環する様に構成している。
【００１４】
一方上記集塵ユニット（９）は、マトリクス状に配置した多数のニードル電極（１２）…間にステンレス板等にて形成した筒状かつ格子状の対向電極（１３）…を挿入装着して組合せた電極を、枠状のフレーム（１４）内に収納して構成している。
【００１５】
そして上記ニードル電極（１２）…は、例えばステンレス板を帯状に成形し、その先端（下端）を尖端部（１５）、（１５）とした放電部（１６）を有する電極板（１７）と、この電極板（１７）を支持するアルミ材等で形成した支持板（１８）とから構成している。
【００１６】
前記支持板（１８）は、図４に示す様に上部に支承部（１９）を設けると共に、該支持部に連設する複数個の取付片（２０）…を設け、この取付片の先端（下端）には突出部（２１）を設け、この突出部は先端をアール部（２２）としている。
【００１７】
前記電極板（１７）、（１７）と支持板（１８）との組み立ては、図４に示す様に、背中合わせに対向させた一対の電極板（１７）、（１７）間に前記取付片（２０）を介在させ、それぞれを重合固定する。
【００１８】
この固定により、図３に示す様に突出部（２１）の先端のアール部（２２）は、前記尖端部（１５）よりも下方に突出する。
【００１９】
前記突出部（２１）の突出長さ（先端）は、後述する格子状対向電極の端縁（下端）よりも短く内側に位置する長さに設定している。
【００２０】
（２３）はアルミニウム箔よりなる導電性の金属薄膜をコーティングした板材で構成した格子状対向電極で、縦板（２４）と横板（２５）をマス目に組み合わせて筒状とし、これによって形成される空間（２６）…内の略中央部に前記電極板（１７）、（１７）と支持板（１８）の組立構造体を配設する。
【００２１】
電極板（１７）、（１７）と支持板（１８）の組立構造体を前記空間（２６）内に配設した状態を図１に示しており、突出部（２１）の下端は格子状電極（２３）の端縁（下端）よりも内側に位置している。
【００２２】
斯して、図２に示す様に、空気清浄機（１）の運転時にはブロアファン（１１）、（１１）を回転させ、ニードル電極（１２）と対向電極（２３）の間に所定の高電圧を印加することで、室内空気をカバー（５）を介して吸気孔（４）より吸気した後、集塵ユニット（９）のニードル電極（１２）と対向電極（２３）間を通過させて浄化し、その後、通気路（１０）を経て吹出口（６）、（６）より脱臭フィルター（８）、（８）を介して室内に排出する。
【００２３】
長期間の使用に伴ない、或は特に汚れた空気を吸気した場合には、対向電極（２３）や電極板（１７）、（１７）の表面に多くの油等が付着する。
【００２４】
この油等を取り除いたり、電極板（１７）、（１７）の清掃や点検、取り換えを行う場合は、対向電極（２３）を取り外して該電極の清掃を行うと共に、電極板（１７）、（１７）の清掃や点検等を行う。
【００２５】
前述の対向電極の取り外し時には、突出部（２１）…が対向電極（２３）に囲まれ、さらに尖端部（１５）は突出部（２１）…よりも内側に入り込んでいることから手指が尖端部（１５）に触れない。
【００２６】
【発明の効果】
以上の様に本発明は、先端に放電用の尖端部を有する一対の電極板間に支持板を介在して重合固定し、前記支持板の先端には前記尖端部よりも突設する突出部を設けると共に、この突出部の先端をアール部としたものであるから、電極板の清掃や取り換え等の保守・点検時には手指等がアール部によって尖端部に触れて怪我をするのを未然に防止する。
【００２７】
また、突出部は一対の電極板の尖端部間に位置することになり、突出部が尖端部と格子状対向電極との間の放電を妨げたり影響を及ぼすことがない。
【００２８】
そして、突出部の先端は、格子状対向電極の端縁よりも内側に位置する長さとしたものであるから、電極板と支持板との組立体と格子状対向電極を組み合わせたユニットの状態でテーブル上面等に置いてもテーブル面に傷を付けず、突出部がテーブル面に当って変形するといった欠点がなくなる。
【図面の簡単な説明】
【図１】本発明のニードル電極部の一部を示す側面図である。
【図２】同じくニードル電極部を実装した空気清浄機の側面断面図である。
【図３】同じく要部拡大図である。
【図４】同じく要部分解斜視図である。
【符号の説明】
１  空気清浄機
９  集塵ユニット
１２  ニードル電極
１５  尖端部
１６  放電部
１７  電極板
１８  支持板
２１  突出部
２２  アール部
【図１】
0003553867.tif 000002
【図２】
0003553867.tif 000003
【図３】
0003553867.tif 000004
【図４】
0003553867.tif 000005